(57)【要約】【課題】ＣＰＵから独立したマネージメントコントローラをもつ情報装置において、スタンドアロン環境においても、電池・コンデンサなどの有寿命部品の稼動時間監視を可能とする方式の実現。【解決手段】ＣＰＵから独立したマネージメントコントローラをもつ情報装置において、該コントローラが管理するマネージメントバスに接続された寿命管理テーブルにより、該情報装置に搭載されている部品の寿命を管理し、また寿命切れ発生の際に、該情報装置内のイベントテーブル及び外部に接続された監視テーブルに警告を送信する。【選択図】  図１
2004355299.tif 000002
【特許請求の範囲】
【請求項１】
ＣＰＵから独立したマネージメントコントローラをもつ情報装置において、該コントローラが管理するマネージメントバスに接続された寿命管理テーブルにより、該情報装置に搭載されている部品の寿命を管理し、また寿命切れ発生の際に、該情報装置内のイベントテーブル及び外部に接続された監視テーブルに警告を送信することを特徴とする方式。
【請求項２】
請求項１により定義した情報装置において、該マネージメントコントローラに接続された通信コントローラを経由して外部の管理装置に対し、寿命テーブルの内容を複製が可能とすることを特徴とする方式。
【請求項３】
請求項２により複製した寿命テーブルの内容を、該通信コントローラ経由及び該マネージメントコントローラを経由して、該寿命テーブルに書き戻すことが可能であることを特徴とする方式。
【発明の詳細な説明】
【０００１】
【発明の属する技術分野】
本発明は、ＣＰＵから独立したマネージメントコントローラ及び該マネージメントコントローラが管理するマネージメントバスに接続された寿命テーブル及びイベントテーブルにより構成される情報装置での有寿命部品監視・通報方式に関する。
【０００２】
【従来の技術】
従来、情報装置において、電池・コンデンサなど寿命をもつ部品があり、その寿命が無くなることにより、障害の原因とななっている。そのため、寿命をもつ部品について、部品の想定寿命及び実稼動時間を管理することにより、これら有寿命部品の寿命切れを検出し、通報することは、障害の予防及び障害原因特定に役立つ。
【０００３】
なお本発明に関連する技術例として特開２００３−３６３２０号公報に記載の稼動時間管理方式がある。
【０００４】
【特許文献１】
特開２００３−３６３２０号公報
【０００５】
【発明が解決しようとする課題】
関連する技術例においては、複数の情報装置に対し管理サーバをもち、稼働時間管理を行い稼動時間を超えることによる障害を防止する。しかし、稼動時間情報は管理サーバがもつため、スタンドアロン環境での稼動時間管理はできない。
【０００６】
従って、情報装置単位で稼動時間の管理を行う必要がある。
【０００７】
本発明は、ＣＰＵから独立したマネージメントコントローラをもつ情報装置において、その情報装置に搭載されている、有寿命部品を部品単位で監視可能とし、部品の寿命切れが発生した際には、情報装置単体・及び外部の監視装置に対し通報可能とする。
【０００８】
また、監視装置へ寿命情報の複製・更新を行うことにより、情報装置のパーツ交換を行った際でも、継続して、正確な有寿命部品の監視を可能とする。
【０００９】
【課題を解決するための手段】
ＣＰＵから独立したマネージメントコントローラをもつ情報装置において、該マネージメントコントローラが管理するマネージメントバスに寿命管理テーブルを接続する。この寿命テーブルでは、該情報装置に実装されている、有寿命部品についての想定寿命及び、その部品の稼動時間が管理される。また該マネージメントバスには、該情報装置で発生したエラー情報などが記録されるイベントテーブルが接続される。
【００１０】
該マネージメントコントローラは、寿命テーブルに単位時間ごとに稼動時間の追加し、稼動時間が想定寿命を上回った場合、該マネージメントコントローラは、イベントテーブルにイベントをロギングする。
【００１１】
上記により、該情報装置単体での寿命部品の監視が可能となるが、情報装置の部品交換時の寿命テーブルの複製・更新、また、想定寿命が誤っていた場合の想定寿命の更新を目的とし、外部の監視装置に対しデータ送受信を行う手段をもたせる。
【００１２】
そこで、情報装置は通信コントローラをもつ。この通信コントローラは該マネージメントコントローラにマネージメント用通信バスで接続される。通信コントローラは該マネージメントコントローラと通信し、これにより、外部にエラー通報、データ送受信を行う。
【００１３】
該マネージメントコントローラは、寿命テーブルに単位時間ごとに稼動時間の追加し、稼動時間が想定寿命を上回った場合、該マネージメントコントローラは、イベントテーブルにイベントをロギングするとともに、またマネージメントコントローラは、マネージメント用通信バスを通じて、通信コントローラに外部の監視装置に対し、エラー情報の送信を行う。
【００１４】
また、情報装置の部品交換時、監視装置は通信コントローラに対し、部品交換を行うための情報を送信する。通信コントローラは、監視装置からの情報を受信すると、該マネージメントコントローラに対し、寿命テーブルの読み出しを行わせる。該マネージメントコントローラは読み出した寿命テーブルを通信コントローラに送信し、通信コントローラは管理装置に寿命テーブルを送信する。監視装置はこれを複製し、また、交換した部品についての稼動時間を０に書きかえる。この後監視装置は、変更した寿命テーブルを、通信コントローラに送信する。通信コントローラは、該マネージメントコントローラに、寿命テーブルの書き換えを行わせる。
【００１５】
これにより、部品交換時における寿命テーブルの複製・更新が可能となる。
【００１６】
【発明の実施の形態】
請求項１、請求項２、請求項３を実現する情報装置のブロック図を図１に示す。
【００１７】
図１において００１は情報装置をあらわす。
【００１８】
００２はマネージメントコントローラをあらわし、これはＣＰＵから独立して動作するコントローラであり、装置内の状態監視を目的としている。
【００１９】
００３は寿命管理テーブルであり、これは、情報装置（００１）に搭載されている、電池・コンデンサなどの有寿命部品の部品名・想定寿命・稼動時間また、その部品が搭載されている箇所が記載されており、その内容は、マネージメントコントローラ（００２）の指令により読み出し・更新がなされる。
【００２０】
００４はイベントテーブルであり、情報装置（００１）内で発生した障害などを、マネージメントコントローラ（００２）の指令により書きこまれる。
【００２１】
００５はマネージメントバスであり、マネージメントコントローラ（００２）がそのバスに接続されている機器に対し指令の送信に使用する。
【００２２】
００６はマネージメント用通信バスである。これは、マネージメントコントローラ（００２）と後述の通信コントローラが、コマンド送受信・データ送受信を行うためのバスである。
【００２３】
００７は通信コントローラである。通信コントローラ（００７）はマネージメント用通信バス（００６）を介してマネージメントコントローラ（００２）とコマンド送受信及びデータ送受信を行う。また、通信コントローラ（００７）は外部へデータ・コマンド送受信するインタフェースをもち、後述の監視装置にコマンド・データ送受信を実施する。
【００２４】
００８は通信ケーブルであり、情報装置（００１）内の通信コントローラ（００７）により、後述の情報装置と接続し、コマンド・データ送受信の伝送路の役割を果たす。
【００２５】
００９は監視装置である。監視装置（００９）は、後述の記憶装置に情報装置（００１）内の寿命テーブル（００３）の内容を複製・更新する役割を果たす。また、情報装置（００１）内の通信コントローラ（００７）にコマンド・データ送受信する。
【００２６】
０１０は記憶手段である。記憶手段（０１０）は監視装置（００９）の指令により、情報装置（００１）内の寿命テーブル（００３）を記憶する。
【００２７】
０１１は、電圧センサであり、情報装置内で使用している電圧チャネルの電圧値を検知する。また電圧センサ（０１１）はマネージメントバス（００５）に接続されており、マネージメントコントローラ（００２）の指令により、電圧値確認可能である。
【００２８】
次に図２であるが、寿命テーブル（００３）の内容である。
【００２９】
１０１は部品名セルである。部品名セル（１０１）は、有寿命部品の部品名が登録される。
【００３０】
１０２は搭載箇所セルである。搭載箇所セル（１０２）は、部品名セル（１０１）に登録された有寿命部品が搭載されている、ボード・ＨＤＤなどのパーツ単位が記載される。
【００３１】
１０３は区分セルである。区分セル（１０３）部品名セル（１０１）に登録された部品の動作条件が記載される。その動作条件の区分は、Ａ：通常稼動時のみ稼動  Ｂ：電源ＯＦＦ（スタンバイ状態）でも稼動の区分となる。
【００３２】
１０４は想定寿命セルである。想定寿命セル（１０４）は、部品名セル（１０１）に登録された部品の想定寿命を登録する。
【００３３】
１０５は稼動時間セルである。部品名セル（１０１）に登録された部品の稼動時間を登録する。
【００３４】
次に請求項１を実現するための動作例を示す。この際、寿命テーブルの内容は図３の通りとする。マネージメントコントローラ（００２）は、単位時間おきに（この例では１時間単位とする。）電圧センサ（０１１）に指令を出し、情報装置（００１）の電源状態の確認を行う。電源状態がＡＣオン（通常稼動状態）の場合、マネージメントコントローラ（００２）は寿命テーブル（００３）のすべての部品について、稼動時間セル（２１３〜２１５）に単位時間（１）を追加する。
【００３５】
また、電源状態がＯＦＦ（スタンバイ状態）の場合、マネージメントコントローラ（００２）は寿命テーブル（００３）の区分セル（２０７〜２０９）を確認し、その値がＢ（スタンバイでも稼動）の部品のみ、稼動状態セル（２１４）を追加する。
【００３６】
マネージメントコントローラ（００３）は稼動時間の更新終了後、想定寿命セル（２１０〜２１２）と稼動時間セル（２１３〜２１５）を比較し、稼動時間が想定寿命を上回った場合、マネージメントコントローラ（００２）はイベントテーブル（００４）に寿命切れの部品あったことと部品名を知らせるイベントを記録する指令を出す。
【００３７】
また、マネージメントコントローラ（００２）、通信コントローラ（００７）にコマンド送信し、寿命切れ部品が生じたことを通知する。通信コントローラ（００７）はこれを受け、監視装置（００９）に対しコマンド送信し、監視装置（００９）は情報装置（００１）に寿命切れの部品が発生したことを認識する。
【００３８】
これにより請求項１は実現される。
【００３９】
次に請求項２・３を実現するための動作例を示す。
【００４０】
情報装置（００１）内に障害が発生し、パーツ交換した場合、交換したパーツに搭載されている有寿命部品に関しては、稼動時間情報をクリアする（０に書き戻す）必要がある。
【００４１】
また、寿命テーブル（００３）が実装されているパーツに交換の必要が生じた際は、寿命テーブルそのもの複製が必要となる。従って、監視装置（００９）を用い、寿命テーブル（００３）の複製を行う必要がある。
【００４２】
この動作例では、寿命テーブルは図４の内容であるとする。
【００４３】
情報装置（００１）のパーツ交換を行う際、監視装置（００９）は、情報装置（００１）内の通信コントローラ（００７）にコマンド送信し、パーツ交換を行う旨を通知する。
【００４４】
通信コントローラ（００）はこれを受け、マネージメントコントローラ（００３）に対しコマンド送信し、寿命テーブル（００３）の読み出しを行う依頼を出す。マネージメントコントローラ（００２）は、これより寿命テーブル（００３）を読み出し、通信コントローラ（００７）に対し寿命テーブル（００３）の内容をデータ送信する。通信コントローラ（００７）はこれを受け、監視装置（００９）に対し、寿命テーブル（００３）の内容を送信する。監視装置（００９）は寿命テーブル（００３）の内容を記憶手段（０１０）に複製する（図５参照）。
【００４５】
情報装置（００１）の障害パーツ交換が完了した際、監視装置（００９）は、記憶手段（０１０）に複製されている、寿命テーブル内容の、搭載箇所セル（４０４〜４０６）を確認し、交換したパーツ（この例ではマザーボードとする。）が登録されているものに関して、その稼動時間セル（４１４、４１５）を０にしクリアする。
【００４６】
監視装置は（００９）は通信コントローラ（００７）コマンド送信し、寿命テーブルの書き換えを行う旨を通知する。通信コントローラ（００９）はこれを受け、マネージメントコントローラ（００３）にコマンド送信し、寿命テーブルの更新を行うことを通知し、また、寿命テーブルの内容をデータ送信する。マネージメントコントローラ（００２）は寿命テーブル（００３）に書きこみを行う指令を出し、寿命テーブルの内容を修正する。
【００４７】
以上により、請求項２・３が実現する。
【００４８】
【発明の効果】
ＣＰＵから独立したマネージメントコントローラをもつ情報装置において、その情報装置に搭載されている、有寿命部品を部品単位で監視可能となり、部品の寿命切れが発生した際には、情報装置単体・及び外部の監視装置に対し通報可能となる。
【００４９】
また、監視装置へ寿命情報の複製・更新を行うことにより、情報装置のパーツ交換をお行った際でも、継続して、正確な有寿命部品の監視が可能である。
【図面の簡単な説明】
【図１】ＣＰＵから独立したマネージメントコントローラ及び該マネージメントバスに接続された、電圧センサ・寿命テーブル・イベント−ブル、また通信コントローラにより構成された情報装置。また該情報装置に接続された監視装置をあらわす図。
【図２】図１の情報装置内の寿命テーブルをあらわす図。
【図３】図１のマネージメントコントローラが寿命テーブルの稼動時間の追加・寿命確認を行う例をあらわす図。
【図４】情報装置のパーツ交換を実施する際、交換する前の寿命テーブルの内容を表す図。
【図５】図４の寿命テーブルが、監視装置内の記憶手段に複製され、更新される図。
【符号の説明】
００１…情報装置、００２…マネージメントコントローラ、００３…寿命テーブル、００４…イベントテーブル、００５…マネージメントバス、００６…マネージメント用通信バス、００７…通信コントローラ、００８…通信ケーブル、００９…監視装置、０１０…記憶手段、０１１…電圧センサ、１０１…部品名セル、１０２…搭載箇所セル、１０３…区分セル、１０４…想定寿命セル、１０５…稼動時間セル、２０１〜２１５…マネージメントコントローラが稼動時間の更新を行う際の寿命テーブルの内容例、３０１〜３１５…情報装置のパーツ交換を行う際、交換前の寿命テーブルの内容例、４０１〜４１５…情報装置のパーツ交換を行う際、情報装置の寿命テーブルの複製が更新される内容例。
【図１】
2004355299.tif 000003
【図２】
2004355299.tif 000004
【図３】
2004355299.tif 000005
【図４】
2004355299.tif 000006
【図５】
2004355299.tif 000007